(57)【要約】      （修正有）【課題】照明や光分散物質を要することなく立体的に表示内容を視認できるようにする。【解決手段】表示装置１は、表示内容を立体的に視認させるために、透明な板部材２と、この板部材２に表示内容となる孔、穴の一方又は両方で形成された表示構成部３とを備え、表示構成部３の位置を若干異ならせて板部材２を複数積層する、又は表示構成部３の形成位置を若干異ならせた板部材２を複数積層する。【選択図】図１
2012014121.tif 000002
【特許請求の範囲】
【請求項１】
表示内容を立体的に視認させる表示装置において、透明な板部材と、この板部材に表示内容となる孔、穴の一方又は両方で形成された表示構成部とを備え、前記表示構成部の位置を若干異ならせて板部材を複数積層する、又は表示構成部の形成位置を若干異ならせた板部材を複数積層することを特徴とする表示装置。
【請求項２】
少なくとも隣接して積層される板部材における表示構成部の孔又は穴の寸法を若干異ならせていることを特徴とする請求項１記載の表示装置。
【請求項３】
表示構成部の孔又は穴の加工面が粗面であることを特徴とする請求項１又は２のいずれかに記載の表示装置。
【請求項４】
厚みや面積の異なる複数の板部材を用いることを特徴とする請求項１〜３のいずれかに記載の表示装置。
【発明の詳細な説明】
【技術分野】
【０００１】
本発明は、表示内容を立体的に表示させることができ、視認者に対して視覚的かつ芸術的に強く訴えることができると共に独特な視覚効果を得ることができる表示装置に関するものである。
【背景技術】
【０００２】
従来、以下の特許文献１，２には、表示内容を彫り込んで光分散性物質を塗布した透明アクリル板などの透明な板体に、外部から照射された光を該光分散性物質により乱反射させることで表示内容を立体的に浮かび上がらせるようにする表示装置が示されている。
【先行技術文献】
【特許文献】
【０００３】
【特許文献１】実用新案登録第３０９６７０８号公報
【特許文献２】特開２００７−１７１３４０号公報
【０００４】
しかしながら、上記特許文献１，２は、照明とその光を乱反射させる光分散性物質によって表示内容を立体的に浮かび上がらせるというものであり、前記視覚効果を得ようとするためにはどうしても照明と光分散性物質が必須となっていた。
【０００５】
また、特許文献１，２は、表示内容をアクリル板に彫り込んでいる点で、正面から若干上下左右に外れた位置から見た場合であっても奥行きを視認することができるものの、単に奥行き（表示内容の厚み）を確認することができる程度であり、視認位置を変えることで表示内容が動いて見えるといった視覚効果を得ることはできなかった。
【発明の概要】
【発明が解決しようとする課題】
【０００６】
解決しようとする問題点は、特許文献１，２では、表示内容を浮かび上がらせようとすると照明や光分散性物質が必須となる点、及び正面から視認位置を上下左右に変えても奥行きを確認できる程度であって表示内容が動いて見えるといった視覚効果を得ることができない点である。
【課題を解決するための手段】
【０００７】
本発明の表示装置は、表示内容を立体的に視認させる表示装置において、透明な板部材と、この板部材に表示内容となる孔、穴の一方又は両方で形成された表示構成部とを備え、前記表示構成部の位置を若干異ならせて板部材を複数積層する、又は表示構成部の形成位置を若干異ならせた板部材を複数積層することを最も主要な特徴とする。
【発明の効果】
【０００８】
本発明は、積層する板部材における表示構成部の形成位置が若干異なるので、又は表示構成部の位置を若干異ならせて板部材を積層するので、照明や光分散性物質を要することなく立体的に表示内容を視認させることができる。
【０００９】
すなわち、本発明は、上記構成によって、各板部材の表示構成部が同一である場合、正面からは表示構成部の外形線（輪郭線）が曖昧になることで奥行きの立体感のみならず飛び出してくるような立体感を視認させることができる。
【００１０】
一方、本発明は、上記構成によって、各板部材の表示構成部が同一である場合、正面以外からは板部材における表示構成部までの距離の相違に起因して、該板部材が異なる焦点のレンズの役割を果たし、視点が動く毎にレンズの焦点が異なって表示内容が立体的に動いているかのように視認させることができる。
【００１１】
さらに、本発明は、表示構成部を孔、穴の一方又は両方で形成しているので、板部材毎に加工手法を異ならせるといった表現の自由度が高くなり、自然光や環境光だけで、正面と正面以外から視認した場合の上記視覚効果も豊富となる。
【図面の簡単な説明】
【００１２】
【図１】図１は本発明の表示装置を示し、（ａ）は斜視図、（ｂ）は（ａ）のＡ矢視図である。（実施例１）
【図２】図２は本発明の表示装置を示し、（ａ）は部分分解斜視図、（ｂ）は（ａ）のＢ矢視図、（ｃ）は（ａ）の他の例でのＢ矢視図である。（実施例１）
【図３】図３は本発明の表示装置を示し、（ａ）は斜視図、（ｂ）は（ａ）のＣ矢視図である。（実施例２）
【図４】図４は本発明の表示装置を示し、（ａ）は部分分解斜視図、（ｂ）は（ａ）のＤ矢視図、（ｃ）は（ａ）の他の例でのＤ矢視図である。（実施例２）
【図５】図５は本発明の表示装置を示し、（ａ）は斜視図、（ｂ）は（ａ）のＥ矢視図である。（実施例３）
【図６】図６は本発明の表示装置を示し、（ａ）は部分分解斜視図、（ｂ）は（ａ）のＦ矢視図、（ｃ）は（ａ）の他の例でのＦ矢視図である。（実施例３）
【図７】図７は本発明の表示装置を示し、（ａ）は斜視図、（ｂ）は（ａ）のＧ矢視図である。（実施例４）
【図８】図８は本発明の表示装置を示し、（ａ）は部分分解斜視図、（ｂ）は（ａ）のＨ矢視図、（ｃ）は（ａ）の他の例でのＨ矢視図である。（実施例４）
【図９】図９は本発明の表示装置における効果を説明するための図である。
【図１０】図１０は本発明の表示装置の表示構成部の細部構成を説明するための図である。
【発明を実施するための形態】
【００１３】
本発明は、以下の図１〜図１０を用いた実施例１〜４の形態で実施可能である。なお、実施例１において本発明の基本的な構成及び作用効果を示し、実施例２〜４では、実施例１と重複する説明は省略し、該実施例１に対して相違する構成及び作用効果を説明することとする。また、図１〜図１０においてはいずれも理解を容易にするため、例えば板厚、表示内容の位置や寸法等を誇張して示し、最表面に位置する板部材と表示構成部については便宜上他より太い線で示し、かつ斜視図においては厚み方向の透過した線の表示を省略している。
【実施例１】
【００１４】
図１，２及び図９，１０に示す実施例１における表示装置１は次の構成とされる。表示装置１は、表示内容（本実施例１〜実施例４ではいずれも「１」という数字を表示内容とした）を立体的に視認させるものであって、透明な板部材２と、この板部材２に表示内容となる孔、穴の一方又は両方で形成された表示構成部３とを備え、実施例１では、板部材２を、同位置で積層した各板部材２において表示構成部３が互いに若干異なるように形成している。
【００１５】
板部材２は、本実施例では例えば無色透明で５ｍｍのガラス板を採用して積層しているが、透明であることを除いては、有色であっても構わないし、１枚あたりの厚みや１枚毎の厚みも適宜設定すればよく、また、ガラス板でなくてもアクリル板であってもよく、さらには、全体形状としては水平で平坦な板でなくとも積層可能であれば例えば側面視Ｕ字状や捻った螺旋状に変形させた形状であってもよく、前記すべて又は選択的に組み合わせて積層する構成であってもよい。
【００１６】
そして、実施例１の表示構成部３は、同位置で積層される板部材２における形成位置が互いに若干異なっている。この点を詳述すると、表示構成部３の形成寸法は同じであるが、板部材２においては互いに形成された位置が図２（ｂ）（ｃ）に示すように、例えば寸法ａだけずれていることを意味する。
【００１７】
また、図２（ｂ）と図２（ｃ）に示すように、表示構成部３は、図２（ｂ）に示すように窪み状の「穴」で形成されていてもよいし、図２（ｃ）に示すように板部材２の表裏を貫通する「孔」で形成されていてもよい。なお、本願における「穴」と「孔」の使い分けは前記のとおりとする。
【００１８】
このように構成された表示装置１は、視認者が正面から場合は図９に示すように、右目で見える表示内容の輪郭線と、左目で見える表示内容の輪郭線とが、概ね同じで、図１（ｂ）に示すように表示内容自体の輪郭線が複数に見えることで全体がぼやけて、かつ手前の輪郭線だけでなく奥側の輪郭線も視認されるから浮き出たように視認できる。
【００１９】
一方、表示装置１は、視認者が正面以外に移動したり、視点を異ならせると、右目と左目とで異なる距離で表示内容の輪郭線を見ることになるので、正面から見るより一層浮き出たように視認されることとなる。また、正面以外に移動中や視点を異ならせる間では、複数視認される表示構成部３のうちの一点の輪郭線に焦点が定まらないので、表示内容が（ふらふらと）移動しているように視認できる。
【００２０】
そして、本発明の表示装置１は、表示構成部３が孔とされた場合の輪郭線や穴とされた場合の底面部及び輪郭線が、表示装置１の裏面側の背景となる色を受けたり、光の屈折で、一様の透過状態となることがなく、視認する（視点）位置や、朝昼晩といった経時的変化、背景変化などに起因して様々に変化することとなり、照明等を設けることなく、豊富かつ幻想的で豊富な立体的な視覚効果で視認させることができる。
【００２１】
さらに、表示構成部３は、その形成端面が平坦な状態でなくとも、図１０に示すように、穴の場合は、図１０（ｂ）に示すように形成面全域が粗面とされたり、孔の場合は、図１０（ｃ）に示すように内側面全域が粗面とされていてもよい。
【００２２】
本発明における粗面とは、光沢面ではなく、例えばショットブラスト、サンドブラストのようなブラスト処理によって磨りガラスのようにマットな面とされていること、及び面の凹凸の加工性状により光の反射率が異なるような面であることを意味する。
【００２３】
例えば、表示構成部３全体が図１０（ｂ）に示すように「穴」であって形成面全域が粗面とされている場合は、最表面の表示内容の裏面側に積層された板部材２に形成された表示構成部３の輪郭線のうち最表面の表示構成部３からはみ出した輪郭線が視認され、かつ最表面の表示構成部３においては、積層された各表示構成部３の重なり具合によって部分的に光の透過率が相違するから、同一の濃淡とはならず、結果的にぼんやりとした浮き上がったような視認状態となる。
【００２４】
例えば、表示構成部３全体が図１０（ｃ）に示すように「孔」であって内側面全域が粗面とされている場合は、最表面の表示内容の裏面側に積層された板部材２に形成された表示構成部３の輪郭線のうち最表面の表示構成部３からはみ出した輪郭線が視認され、かつ最表面の表示構成部３においては、積層された各表示構成部３の重なり具合によって板部材２のレンズ効果が相違するから、大きさが同一とはならず、結果的にぼんやりとした浮き上がったような視認状態となる。
【００２５】
このように、図１０のように表示構成部３が粗面となっていることで、孔の場合の輪郭線や穴の場合の底面部及び輪郭線の視認状態が、上記よりさらに複雑となるので、照明等を設けることなく、視覚効果が上記よりさらに豊富となる。
【実施例２】
【００２６】
図３，４及び図９，１０に示す実施例２における表示装置１は次の構成とされる。実施例２の表示装置１は、板部材２を、該板部材２において同位置（例えば板部材２において中心位置の場合は表示構成部３を全板部材２の中心位置に形成するという意味）かつ同寸法で形成された表示構成部３の位置が若干異なるように積層する構成としている点が実施例１とは相違する。
【００２７】
実施例２の表示構成部３は、図４に示すように、表示構成部３の形成寸法や形成位置は互いの板部材２において同じであるが、板部材２の積層位置が、図４（ｂ）の「穴」の場合も図４（ｃ）の「孔」の場合も、互いに例えば寸法ｂだけずれている。
【００２８】
このように構成することでも、上記実施例１と同等の作用効果が得られることはもちろん、実施例２では特に板部材２の輪郭線が異なるので、全体としてさらに幻想的な視覚効果を演出することができ、表示内容を示した平面的で面一的な表示面と比較して、表示装置１全体が立体的なものとなり非常に大きな視覚効果をもたらすことができる。
【実施例３】
【００２９】
図５，６及び図９，１０に示す実施例３における表示装置１は次の構成とされる。実施例３の表示装置１は、板部材２を、同位置で積層した各板部材２における位置が若干異なるように表示構成部３を形成するの形成すると共に、該表示構成部３の形成寸法が若干異なる構成としている点が実施例１とは相違する。
【００３０】
この点を詳述すると、実施例３では図６に示すように、表示構成部３の形成位置が板部材２において互いに図６（ｂ）の「穴」の場合も図６（ｃ）の「孔」の場合も、互いに例えば寸法ｅだけずれていると共に、表示構成部３の形成寸法が図６（ｂ）の「穴」の場合も図６（ｃ）の「孔」の場合も、互いに例えば寸法ｃと寸法ｄのように異なっている。  
【００３１】
このように構成することでも、上記実施例１と同等の作用効果が得られることはもちろん、実施例３では特に表示構成部３の形成寸法の大小も異なるので、全体としてさらに幻想的な視覚効果を演出することができ、表示内容を示した平面的で面一的な表示面と比較して、表示装置１全体として立体的なものとなり非常に大きな視覚効果をもたらすことができる。
【実施例４】
【００３２】
図７，８及び図９，１０に示す実施例４における表示装置１は次の構成とされる。実施例４の表示装置１は、板部材２を、該板部材２において異なる位置かつ異なる寸法で形成された表示構成部３の位置が若干異なるように積層する構成としている点が実施例１とは相違する。
【００３３】
この点を詳述すると、実施例３では図８に示すように、表示構成部３の形成位置が板部材２において互いに図８（ｂ）の「穴」の場合も図８（ｃ）の「孔」の場合も、互いに例えば寸法ｈだけずれていると共に、表示構成部３の形成寸法が図８（ｂ）の「穴」の場合も図８（ｃ）の「孔」の場合も、互いに例えば寸法ｆ及び寸法ｇのように異なると共に、板部材２の積層位置が互いに例えば寸法ｉのように異なっている。
【００３４】
このように構成することでも、上記実施例１と同等の作用効果が得られることはもちろん、実施例４では特に板部材２の輪郭線が、表示構成部３の形成寸法、形成位置、板部材１の積層位置によって異なるので、全体としてさらに幻想的な視覚効果を演出することができ、表示内容を示した平面的で面一的な表示面と比較して、表示装置１全体として立体的なものとなり非常に大きな視覚効果をもたらすことができる。
【符号の説明】
【００３５】
１ 表示装置
２  板部材
３  表示構成部
【図１】
2012014121.tif 000003
【図２】
2012014121.tif 000004
【図３】
2012014121.tif 000005
【図４】
2012014121.tif 000006
【図５】
2012014121.tif 000007
【図６】
2012014121.tif 000008
【図７】
2012014121.tif 000009
【図８】
2012014121.tif 000010
【図９】
2012014121.tif 000011
【図１０】
2012014121.tif 000012